(57)【要約】 【課題】  開閉式の投影装置であっても画像の投影時には開状態を確実に維持し、投影の中断を防止する。【解決手段】  投影装置は、筐体本体２と、筐体本体２に対して開閉自在に取り付けられた蓋部材３と、筐体本体２内に設けられ、第一反射部材から照射された光をスクリーンに向けて反射する第二反射部材（平面反射ミラー２１）と、電力が供給されると開状態にある蓋部材３の移動を規制するとともに、電力が供給されないと規制を解除する規制部材２６とを備える。【選択図】図４
2015041061.tif 000002
【特許請求の範囲】
【請求項１】
筐体本体と、
前記筐体本体に対して開閉自在に取り付けられた蓋部材と、
開状態にある前記蓋部材に対し映像光を照射する光学系と、
電力が供給されると前記開状態にある前記蓋部材の移動を規制するとともに、電力が供給されないと前記規制を解除する規制部材と、
を備えることを特徴とする投影装置。
【請求項２】
請求項１記載の投影装置において、
前記光学系から照射された光を反射するため、前記蓋部材の内面に取り付けられた第一反射部材と、
前記筐体本体内に設けられ、前記第一反射部材から照射された光をスクリーンに向けて反射する第二反射部材と、
を備えることを特徴とする投影装置。
【請求項３】
請求項１又は２記載の投影装置において、
前記規制部材の駆動源は直動型ソレノイドであり、
前記直動型ソレノイドは、電力が供給されると前記蓋部材の移動を規制する規制位置に前記規制部材を移動させ、電力が供給されないと前記規制位置から前記規制部材を退避させて前記規制を解除することを特徴とする投影装置。
【請求項４】
請求項１〜３のいずれか一項に記載の投影装置において、
前記規制部材に対する電力供給制御を行う制御部と、
前記蓋部材の開閉状態を検出するセンサーと、を備え、
前記制御部は、前記蓋部材が閉状態である旨を前記センサーが検出した場合には、前記規制部材に対する電力供給を停止し、前記蓋部材が開状態である旨を前記センサーが検出した場合には、前記規制部材に対する電力供給を行うことを特徴とする投影装置。
【発明の詳細な説明】
【技術分野】
【０００１】
本発明は、投影装置に関する。
【背景技術】
【０００２】
投影装置は、レンズ群と、非球面ミラーとを筐体内に備えており、これらのレンズ群及び非球面ミラーを介して映像光をスクリーンに照射することによって、スクリーン上に画像を投影するようになっている。
ここで、投影時においてはレンズ群と非球面ミラーとの間に所定の間隔を空けていなければならないが、不使用時にはこの間隔がデッドスペースとなってしまう。このため、近年においては、筐体に対して開閉自在なスライド部を設け、このスライド部内に非球面レンズを配置した投影装置が開発されている。このような投影装置の場合、不使用時にはスライド部が閉状態となって筐体に収容され、レンズ群と非球面ミラーとの間隔が狭められ、全体としてコンパクトになる。他方、投影時においてはスライド部が開状態となって筐体に引き出され、レンズ群と非球面ミラーとの間に所定の間隔が空くようになっている（例えば特許文献１参照）。
【先行技術文献】
【特許文献】
【０００３】
【特許文献１】特開２０１１−１５８５２２号公報
【発明の概要】
【発明が解決しようとする課題】
【０００４】
しかしながら、上記した開閉式の投影装置であると、画像の投影中にスライド部が筐体に収納されて閉状態となってしまい、投影が中断してしまうおそれがある。
そこで本発明の課題は、開閉式の投影装置であっても画像の投影時には開状態を確実に維持し、投影の中断を防止することである。
【課題を解決するための手段】
【０００５】
以上の課題を解決するため、本発明の一の態様によれば、
筐体本体と、
前記筐体本体に対して開閉自在に取り付けられた蓋部材と、
開状態にある前記蓋部材に対し映像光を照射する光学系と、
電力が供給されると前記開状態にある前記蓋部材の移動を規制するとともに、電力が供給されないと前記規制を解除する規制部材と、
を備えることを特徴とする投影装置が提供される。
【発明の効果】
【０００６】
本発明によれば、開閉式の投影装置であっても画像の投影時には開状態を確実に維持することができ、投影の中断を防止することができる。
【図面の簡単な説明】
【０００７】
【図１】本実施形態に係る閉状態にある投影装置の概略構成を示す斜視図である。
【図２】本実施形態に係る開状態にある投影装置の概略構成を示す斜視図である。
【図３】本実施形態に係る閉状態にある投影装置の一部構成を示す断面図である。
【図４】本実施形態に係る開状態にある投影装置の一部構成を示す断面図である。
【図５】本実施形態に係る投影装置の主制御構成を示すブロック図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は閉状態にある投影装置１の概略構成を示す斜視図であり、図２は開状態にある投影装置１の概略構成を示す斜視図である。図１及び図２に示すように、投影装置１には、筐体本体２と、筐体本体２に対して開閉自在に取り付けられた蓋部材３とが設けられている。
【００１０】
筐体本体２は、略直方体状に形成されていて、その内部に映像光を生成する光源５（図５参照）及び光学系などを収納している。筐体本体２の上面の一部は開放していて、その内部には本発明に係る第二反射部材としての平面反射ミラー２１が設けられている。また、筐体本体２の一側面には、蓋部材３の開閉用スイッチ２２と、フォーカス調整用のフォーカスリング２３と、電源スイッチ２４とが備えられている。
【００１１】
蓋部材３は、筐体本体２の角部に対して回転自在に取り付けられている。蓋部材３の内面には、光学系から照射された映像光を平面反射ミラー２１に向けて反射する第一反射部材としての自由曲面ミラー３１が設けられている。
【００１２】
図３は閉状態にある投影装置１の一部構成を示す断面図であり、図４は開状態にある投影装置１の一部構成を示す断面図である。
図３及び図４に示すように、蓋部材３には、回転軸３２に一体的に取り付けられたフレーム部材３３と、フレーム部材３３を覆うカバー部材３４とが設けられている。フレーム部材３３の内面に自由曲面ミラー３１が取り付けられている。蓋部材３の回転軸３２に略対向する位置には、本発明の光学系である投影レンズ３５が設けられている。図４に示すように蓋部材３が開状態である場合には、投影レンズ３５から投影された映像光が自由曲面ミラー３１を介して平面反射ミラー２１に到達する。その後、映像光は、平面反射ミラー２１によってスクリーンに向けて反射される。
また、蓋部材３の開状態においてカバー部材３４の基端部３４１が位置する筐体本体２の箇所には、前記基端部３４１が収容される凹部２５が形成されている。この凹部２５内にカバー部材３４の基端部３４１が収容されることで、開状態における蓋部材３の位置決めが行われることになる。
【００１３】
筐体本体２の開放部の底部には、開状態にある蓋部材３の移動を規制する規制部材２６が設けられている。規制部材２６の駆動源は例えば直動型ソレノイド４（図５参照：以下ソレノイドと称す。）である。蓋部材３が開状態にあるときは、ソレノイド４に電力が供給されることで、規制部材２６が筐体本体２の底部から最も延び出て蓋部材３のフレーム部材３３の基端部３３１に当接する。この基端部３３１に当接して蓋部材３の移動を規制する位置を規制位置と称す。また、規制部材２６の先端部は、フレーム部材３３の基端部３３１との接触面積が大きくなるように傾斜面となっている。これにより、安定して蓋部材３の移動を規制できるようになっている。
他方、図３に示すように、蓋部材３が閉状態にあるときは、ソレノイド４に対して電力は供給されず、規制部材２６が規制位置から退避し、蓋部材３に対する規制が解除される。
【００１４】
図５は、投影装置１の主制御構成を示すブロック図である。図５に示すように、投影装置１には、光学系に対し光を付与する光源５と、光学系に組み込まれて画像を形成するための表示素子６と、蓋部材３の開閉状態を検出するセンサー７と、電源８と、電源スイッチ２４と、ソレノイド４と、これらを制御する制御部９とが設けられている。
【００１５】
表示素子６は、例えば二次元アレイ状に配列された複数の可動マイクロミラー等を有するデジタル・マイクロミラー・デバイス（ＤＭＤ）であり、可動マイクロミラーが画素としての空間光変調素子に相当する。なお、表示素子６が反射型の空間光変調器ではなく、透過型の空間光変調器（例えば、液晶シャッターアレイパネル：いわゆる液晶表示器）であってもよい。
【００１６】
センサー７としては、例えば閉状態にある蓋部材３が接触し、開状態にある蓋部材３が離間する位置に設けられ、接触の有無により蓋部材３の開閉状態を検出する接触式のセンサーや、開状態と閉状態との明るさの差により開閉状態を検出する光学式のセンサーなどが挙げられる。
【００１７】
制御部９は、ＲＯＭ、ＲＡＭ、ＣＰＵを備え、ＲＯＭに記録された処理プログラムをＲＡＭに展開してＣＰＵによりこの処理プログラムを実行することで、各部を制御し各種処理を施すようになっている。
処理プログラムとしては、例えばソレノイド４に対する電力供給制御プログラムがある。
この電力供給制御プログラムは、蓋部材３が閉状態である旨をセンサー７が検出した場合には、ソレノイド４に対する電力供給を停止するように制御部９が電源８を制御し、蓋部材３が開状態である旨をセンサー７が検出した場合にはソレノイド４に対する電力供給を行うように制御部９が電源８を制御するようになっている。
【００１８】
次に、本実施形態の作用について説明する。
まず、ユーザーの操作によって電源スイッチ２４がＯＮとなると、電源８もＯＮとなって各部に電力が供給される。これにより制御部９は起動し電力供給制御プログラムを実行する。
制御部９は、センサー７の検出結果に基づき蓋部材３の開閉状態を認識する。蓋部材３が閉状態である旨をセンサー７が検出している場合には、制御部９は電源８を制御してソレノイド４に対する電力供給を停止する。これにより、規制部材２６から規制位置から退避した状態となる。この状態であれば、閉状態である蓋部材３を開くことができるため、ユーザーは蓋部材３を開状態とし、所望の投影を実行する。
蓋部材３が開状態に切り替わって、蓋部材３が開状態である旨をセンサー７が検出すると、制御部９は電源８を制御してソレノイド４に対する電力供給を行う。これにより、規制部材２６が規制位置まで移動して、開状態にある蓋部材３の移動が規制される。
所望の投影が終了し、ユーザーが電源スイッチ２４をＯＦＦにすると、電源８からの電力供給が全体的に停止されるために、ソレノイド４に対する電力供給もなくなり、規制部材２６が規制位置から退避する。これにより、蓋部材３を閉状態にすることが可能となる。
【００１９】
以上のように本実施形態によれば、規制部材２６の駆動源であるソレノイド４に電力が供給されると、規制部材２６が開状態にある蓋部材３の移動を規制しているので、画像の投影時に蓋部材３が閉状態となることを防止することができる。したがって、開閉式の投影装置１であっても画像の投影時には蓋部材３の開状態を確実に維持することができ、投影の中断を防止することができる。
また、蓋部材３が閉状態のまま投影が継続されていると、映像光の熱によって蓋部材３や筐体本体２が熱変形してしまうおそれがある。しかしながら、本実施形態の投影装置であると、電源８がＯＮとなって蓋部材３が開状態となってから電源８がＯＦＦとなるまでは、規制部材２６が規制位置から退避せず蓋部材３に対する規制を解除しないので、蓋部材３が閉状態のままで投影が継続されてしまうことを防止することができる。したがって、映像光の熱による影響が蓋部材３や筐体本体２に及ぶことを抑制することができる。
【００２０】
また、規制部材２６の駆動源がソレノイド４であるので、ソレノイド４に対する電力供給のＯＮ／ＯＦＦを切り替えるだけで、規制部材２６を規制位置に移動させたり、当該規制位置から退避させたりすることができる。すなわち、簡単な構成で規制部材２６の移動を制御することが可能である。
【００２１】
また、蓋部材３が閉状態である旨をセンサー７が検出した場合には、規制部材２６のソレノイド４に対する電力供給が停止され、蓋部材３が開状態である旨をセンサー７が検出した場合には、規制部材２６のソレノイド４に対する電力供給が行われるので、蓋部材３が閉状態であるときには規制部材２６が規制位置から予め退避させることができる。閉状態である蓋部材３を開こうとするとき、規制部材２６が規制位置にあると、当該規制部材２６が蓋部材３に干渉して蓋部材３をスムーズに開けないおそれもあるが、蓋部材３が閉状態であるときに規制部材２６が規制位置から退避していれば、前記干渉を防止することができる。
そして、本発明は、以上の実施形態に限定されるものでなく、発明の要旨を逸脱しない範囲で自由に変更、改良が可能である。
【００２２】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００２３】
〔付記〕
＜請求項１＞
筐体本体と、
前記筐体本体に対して開閉自在に取り付けられた蓋部材と、
開状態にある前記蓋部材に対し映像光を照射する光学系と、
電力が供給されると前記開状態にある前記蓋部材の移動を規制するとともに、電力が供給されないと前記規制を解除する規制部材と、
を備えることを特徴とする投影装置。
＜請求項２＞
請求項１記載の投影装置において、
前記光学系から照射された光を反射するため、前記蓋部材の内面に取り付けられた第一反射部材と、
前記筐体本体内に設けられ、前記第一反射部材から照射された光をスクリーンに向けて反射する第二反射部材と、
を備えることを特徴とする投影装置。
＜請求項３＞
請求項１又は２記載の投影装置において、
前記規制部材の駆動源は直動型ソレノイドであり、
前記直動型ソレノイドは、電力が供給されると前記蓋部材の移動を規制する規制位置に前記規制部材を移動させ、電力が供給されないと前記規制位置から前記規制部材を退避させて前記規制を解除することを特徴とする投影装置。
＜請求項４＞
請求項１〜３のいずれか一項に記載の投影装置において、
前記規制部材に対する電力供給制御を行う制御部と、
前記蓋部材の開閉状態を検出するセンサーと、を備え、
前記制御部は、前記蓋部材が閉状態である旨を前記センサーが検出した場合には、前記規制部材に対する電力供給を停止し、前記蓋部材が開状態である旨を前記センサーが検出した場合には、前記規制部材に対する電力供給を行うことを特徴とする投影装置。
【符号の説明】
【００２４】
１      投影装置
２      筐体本体
３      蓋部材
４      ソレノイド（直動型ソレノイド）
５      光源
６      表示素子
７      センサー
８      電源
９      制御部
２１      平面反射ミラー（第二反射部材）
２４      電源スイッチ
２６      規制部材
３１      自由曲面ミラー（第一反射部材）
３２      回転軸
３３      フレーム部材
３４      カバー部材
３５      投影レンズ（光学系）
【図１】
2015041061.tif 000003
【図２】
2015041061.tif 000004
【図３】
2015041061.tif 000005
【図４】
2015041061.tif 000006
【図５】
2015041061.tif 000007